(57)【要約】【課題】  利便性の向上と、人件費の低減と、料金の安全な受け取りとを実現することができるドキュメント印刷システム、画像形成装置およびドキュメント印刷プログラムを提供する。【解決手段】  ドキュメント印刷システムは、ドキュメントを受け付けるＭＦＰ４０と、ＭＦＰ４０によって受け付けられたドキュメントの印刷データを生成するとともに、このドキュメントに基づいて料金を計算するコンピューター５０とを備え、ＭＦＰ４０は、コンピューター５０によって計算された料金に対してオンライン決済サービス６０によって発行された支払いコードを通知するとともに、通知した支払いコードを使用してオンライン決済サービス６０経由で料金が支払われた（Ｓ１６５〜Ｓ１６７）場合に、印刷データに基づいてプリンターで印刷を実行する（Ｓ１７０）ことを特徴とする。【選択図】  図１３
2018118404.tif 000002
【特許請求の範囲】
【請求項１】
印刷デバイスと、
ドキュメントを受け付けるドキュメント受付手段と
を備える画像形成装置と、
前記ドキュメント受付手段によって受け付けられた前記ドキュメントの印刷データを生成する印刷データ生成手段と、
前記ドキュメント受付手段によって受け付けられた前記ドキュメントに基づいて料金を計算する料金計算手段と、
前記料金計算手段によって計算された前記料金に対してオンライン決済サービスによって発行された支払いコードを通知する支払いコード通知手段と
を備え、
前記画像形成装置は、前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段を備えることを特徴とするドキュメント印刷システム。
【請求項２】
前記画像形成装置は、外部の電子機器との間で他の通信機器を経由しない直接の無線通信を実行可能な無線通信手段を備え、
前記ドキュメント受付手段は、前記無線通信手段によって実行された前記無線通信を介して前記ドキュメントを受け付けることを特徴とする請求項１に記載のドキュメント印刷システム。
【請求項３】
前記ドキュメント受付手段は、前記ドキュメントの印刷設定を受け付け、
前記印刷データ生成手段は、前記ドキュメント受付手段によって受け付けられた前記印刷設定に基づいて前記印刷データを生成することを特徴とする請求項１または請求項２に記載のドキュメント印刷システム。
【請求項４】
前記料金計算手段は、前記ドキュメント受付手段によって受け付けられた前記印刷設定に基づいて前記料金を計算することを特徴とする請求項３に記載のドキュメント印刷システム。
【請求項５】
前記ドキュメント受付手段は、受け付けた前記ドキュメントに対応付けた識別情報を通知し、
前記画像形成装置は、前記識別情報に対応付けられた前記ドキュメントの指定を受け付けるドキュメント指定受付手段を備え、
前記支払いコード通知手段は、前記ドキュメント指定受付手段によって指定が受け付けられた前記ドキュメントの前記支払いコードを通知することを特徴とする請求項１から請求項４までの何れかに記載のドキュメント印刷システム。
【請求項６】
前記画像形成装置は、表示デバイスを備え、
前記支払いコード通知手段は、前記支払いコードを前記表示デバイスへの表示によって通知することを特徴とする請求項１から請求項５までの何れかに記載のドキュメント印刷システム。
【請求項７】
前記支払いコード通知手段によって通知された前記支払いコードを使用して前記オンライン決済サービス経由で前記料金を支払うための利用者端末を備え、
前記利用者端末は、撮影デバイスを備え、前記表示デバイスに表示された前記支払いコードを前記撮影デバイスによって撮影することによって取得することを特徴とする請求項６に記載のドキュメント印刷システム。
【請求項８】
前記支払いコード通知手段は、前記支払いコードを二次元コードとして前記表示デバイスに表示することを特徴とする請求項７に記載のドキュメント印刷システム。
【請求項９】
印刷デバイスと、
ドキュメントを受け付けるドキュメント受付手段と、
前記ドキュメント受付手段によって受け付けられた前記ドキュメントに基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記ドキュメントの印刷データに基づいて前記印刷デバイスで印刷を実行するドキュメント印刷手段と
を備えることを特徴とする画像形成装置。
【請求項１０】
印刷デバイスを備える画像形成装置に、
ドキュメントを受け付けるドキュメント受付手段と、
前記ドキュメント受付手段によって受け付けられた前記ドキュメントに基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に、前記ドキュメントの印刷データに基づいて前記印刷デバイスで印刷を実行するドキュメント印刷手段と
を実現させることを特徴とするドキュメント印刷プログラム。
【発明の詳細な説明】
【技術分野】
【０００１】
本発明は、ドキュメントの印刷を実行するドキュメント印刷システム、画像形成装置およびドキュメント印刷プログラムに関する。
【背景技術】
【０００２】
従来、現金による料金の支払いを可能にするコインベンダーと、複写機とを備えていて、複写機によるコピーのジョブの実行の際にリアルタイムでコインベンダーによって料金の支払いを実行するシステムが知られている（例えば、特許文献１参照。）。
【先行技術文献】
【特許文献】
【０００３】
【特許文献１】特開２００１−３５１１６７号公報
【発明の概要】
【発明が解決しようとする課題】
【０００４】
しかしながら、特許文献１に記載されたシステムにおいては、利用者によってコインベンダーに投入された現金が減って料金の支払いが滞った時点でコピーのジョブの実行が停止され、その後、コインベンダーに現金が追加で投入されて料金の支払いが可能になった時点でコピーのジョブの実行が再開されるので、利便性が悪いという問題がある。
【０００５】
また、特許文献１に記載されたシステムにおいては、コインベンダーに現金で格納されている料金が複写機の管理者側の人間によって定期的に回収される必要があるので、人件費がかかるという問題がある。
【０００６】
また、特許文献１に記載されたシステムにおいては、料金が現金でコインベンダーに格納されているので、コインベンダーが格納している現金が盗難されて、複写機の管理者が料金を受け取れない可能性があるという問題がある。
【０００７】
そこで、本発明は、利便性の向上と、人件費の低減と、料金の安全な受け取りとを実現することができるドキュメント印刷システム、画像形成装置およびドキュメント印刷プログラムを提供することを目的とする。
【課題を解決するための手段】
【０００８】
本発明のドキュメント印刷システムは、印刷デバイスと、ドキュメントを受け付けるドキュメント受付手段とを備える画像形成装置と、前記ドキュメント受付手段によって受け付けられた前記ドキュメントの印刷データを生成する印刷データ生成手段と、前記ドキュメント受付手段によって受け付けられた前記ドキュメントに基づいて料金を計算する料金計算手段と、前記料金計算手段によって計算された前記料金に対してオンライン決済サービスによって発行された支払いコードを通知する支払いコード通知手段とを備え、前記画像形成装置は、前記支払いコード通知手段によって通知された前記支払いコードを使用して前記オンライン決済サービス経由で前記料金が支払われた場合に、前記印刷データに基づいて前記印刷デバイスで印刷を実行するドキュメント印刷手段を備えることを特徴とする。
【０００９】
この構成により、本発明のドキュメント印刷システムは、ドキュメントに基づいた料金が支払われた後で、このドキュメントの印刷データに基づいた印刷を実行するので、「ドキュメントの印刷を実行する」というドキュメント印刷のジョブの実行が料金の支払いの滞りによって途中で停止されることがなく、利便性の向上を実現することができる。また、本発明のドキュメント印刷システムは、料金の支払いにコインベンダーではなくオンライン決済サービスを利用するので、コインベンダーからの料金の取得作業が不要であり、人件費の低減と、料金の安全な受け取りとを実現することができる。
【００１０】
本発明のドキュメント印刷システムにおいて、前記画像形成装置は、外部の電子機器との間で他の通信機器を経由しない直接の無線通信を実行可能な無線通信手段を備え、前記ドキュメント受付手段は、前記無線通信手段によって実行された前記無線通信を介して前記ドキュメントを受け付けても良い。
【００１１】
この構成により、本発明のドキュメント印刷システムは、画像形成装置が外部の電子機器から直接の無線通信を介してドキュメントを受け付けるので、外部の複数の電子機器が接続するネットワークに画像形成装置が接続していなくても、画像形成装置がドキュメントを受け付けることができる。したがって、本発明のドキュメント印刷システムは、外部の複数の電子機器が接続するネットワークを介した指示に応じた印刷、例えば、オンライン決済サービスを利用した料金の支払いに関係ないドキュメントの印刷を画像形成装置が実行することを防止することができる。
【００１２】
本発明のドキュメント印刷システムにおいて、前記ドキュメント受付手段は、前記ドキュメントの印刷設定を受け付け、前記印刷データ生成手段は、前記ドキュメント受付手段によって受け付けられた前記印刷設定に基づいて前記印刷データを生成しても良い。
【００１３】
この構成により、本発明のドキュメント印刷システムは、利用者が指定した印刷設定でドキュメントを印刷することができる。
【００１４】
本発明のドキュメント印刷システムにおいて、前記料金計算手段は、前記ドキュメント受付手段によって受け付けられた前記印刷設定に基づいて前記料金を計算しても良い。
【００１５】
この構成により、本発明のドキュメント印刷システムは、ドキュメントの印刷設定に基づいた正確な料金が支払われた後で、このドキュメントの印刷データに基づいた印刷を実行するので、利便性の向上を実現することができる。
【００１６】
本発明のドキュメント印刷システムにおいて、前記ドキュメント受付手段は、受け付けた前記ドキュメントに対応付けた識別情報を通知し、前記画像形成装置は、前記識別情報に対応付けられた前記ドキュメントの指定を受け付けるドキュメント指定受付手段を備え、前記支払いコード通知手段は、前記ドキュメント指定受付手段によって指定が受け付けられた前記ドキュメントの前記支払いコードを通知しても良い。
【００１７】
この構成により、本発明のドキュメント印刷システムは、利用者によって指定された識別情報に対応付けられたドキュメントの支払いコードのみを通知するので、利用者によって認識されているドキュメントのみを印刷することができ、利便性を向上することができる。
【００１８】
本発明のドキュメント印刷システムにおいて、前記画像形成装置は、表示デバイスを備え、前記支払いコード通知手段は、前記支払いコードを前記表示デバイスへの表示によって通知しても良い。
【００１９】
この構成により、本発明のドキュメント印刷システムは、画像形成装置が支払いコードを表示デバイスへの表示によって通知するので、画像形成装置によって通知された支払いコードを使用してオンライン決済サービス経由で料金を支払うための利用者端末と、画像形成装置とが互いに通信できない場合であっても、画像形成装置の表示デバイスに表示された支払いコードを使用して利用者端末によってオンライン決済サービス経由で料金を支払うことができる。
【００２０】
本発明のドキュメント印刷システムは、前記支払いコード通知手段によって通知された前記支払いコードを使用して前記オンライン決済サービス経由で前記料金を支払うための利用者端末を備え、前記利用者端末は、撮影デバイスを備え、前記表示デバイスに表示された前記支払いコードを前記撮影デバイスによって撮影することによって取得しても良い。
【００２１】
この構成により、本発明のドキュメント印刷システムは、画像形成装置の表示デバイスに表示された支払いコードを利用者端末の利用者が利用者端末に手入力する必要がないので、利便性を向上することができる。
【００２２】
本発明のドキュメント印刷システムにおいて、前記支払いコード通知手段は、前記支払いコードを二次元コードとして前記表示デバイスに表示しても良い。
【００２３】
この構成により、本発明のドキュメント印刷システムは、支払いコードが二次元コードとしてコンパクトに画像形成装置の表示デバイスに表示されるので、利用者端末の撮影デバイスによって撮影し易く、利便性を向上することができる。
【００２４】
本発明の画像形成装置は、印刷デバイスと、ドキュメントを受け付けるドキュメント受付手段と、前記ドキュメント受付手段によって受け付けられた前記ドキュメントに基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記ドキュメントの印刷データに基づいて前記印刷デバイスで印刷を実行するドキュメント印刷手段とを備えることを特徴とする。
【００２５】
この構成により、本発明の画像形成装置は、ドキュメントに基づいた料金が支払われた後で、このドキュメントの印刷データに基づいた印刷を実行するので、「ドキュメントの印刷を実行する」というドキュメント印刷のジョブの実行が料金の支払いの滞りによって途中で停止されることがなく、利便性の向上を実現することができる。また、本発明の画像形成装置は、料金の支払いにコインベンダーではなくオンライン決済サービスを利用するので、コインベンダーからの料金の取得作業が不要であり、人件費の低減と、料金の安全な受け取りとを実現することができる。
【００２６】
本発明のドキュメント印刷プログラムは、印刷デバイスを備える画像形成装置に、ドキュメントを受け付けるドキュメント受付手段と、前記ドキュメント受付手段によって受け付けられた前記ドキュメントに基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に、前記ドキュメントの印刷データに基づいて前記印刷デバイスで印刷を実行するドキュメント印刷手段とを実現させることを特徴とする。
【００２７】
この構成により、本発明のドキュメント印刷プログラムを実行する画像形成装置は、ドキュメントに基づいた料金が支払われた後で、このドキュメントの印刷データに基づいた印刷を実行するので、「ドキュメントの印刷を実行する」というドキュメント印刷のジョブの実行が料金の支払いの滞りによって途中で停止されることがなく、利便性の向上を実現することができる。また、本発明のドキュメント印刷プログラムを実行する画像形成装置は、料金の支払いにコインベンダーではなくオンライン決済サービスを利用するので、コインベンダーからの料金の取得作業が不要であり、人件費の低減と、料金の安全な受け取りとを実現することができる。
【発明の効果】
【００２８】
本発明のドキュメント印刷システム、画像形成装置およびドキュメント印刷プログラムは、利便性の向上と、人件費の低減と、料金の安全な受け取りとを実現することができる。
【図面の簡単な説明】
【００２９】
【図１】本発明の一実施の形態に係るドキュメント印刷システムのブロック図である。
【図２】図１に示す利用者端末のブロック図である。
【図３】図１に示す電子機器のブロック図である。
【図４】図１に示すＭＦＰのブロック図である。
【図５】図４に示すドキュメント管理情報の一例を示す図である。
【図６】図１に示すコンピューターのブロック図である。
【図７】図６に示すＭＦＰ管理情報の一例を示す図である。
【図８】図６に示す支払いコード管理情報の一例を示す図である。
【図９】図１に示すオンライン決済サービスが記憶する情報の一例を示す図である。
【図１０】図９に示す支払いコード管理情報の一例を示す図である。
【図１１】新たなドキュメントをＭＦＰに記憶する場合の図１に示すドキュメント印刷システムの動作のシーケンス図である。
【図１２】ドキュメント印刷のジョブの実行の指示が入力されたＭＦＰが二次元コードを表示するまでの図１に示すドキュメント印刷システムの動作のシーケンス図である。
【図１３】利用者端末が二次元コードを読み取ってからＭＦＰがドキュメント印刷のジョブの実行を終了するまでの図１に示すドキュメント印刷システムの動作のシーケンス図である。
【図１４】図２に示す利用者端末の表示部に表示される支払い画面の一例を示す図である。
【発明を実施するための形態】
【００３０】
以下、本発明の一実施の形態について、図面を用いて説明する。
【００３１】
まず、本実施の形態に係るドキュメント印刷システムの構成について説明する。
【００３２】
図１は、本実施の形態に係るドキュメント印刷システム１０のブロック図である。
【００３３】
図１に示すように、ドキュメント印刷システム１０は、利用者によって利用される利用者端末２０と、利用者によって利用される電子機器３０と、画像形成装置としてのＭＦＰ（Ｍｕｌｔｉｆｕｎｃｔｉｏｎ  Ｐｅｒｉｐｈｅｒａｌ）４０と、コンピューター５０と、オンライン上で決済を実行するクラウドサービスであるオンライン決済サービス６０と、銀行口座を管理している銀行口座管理システム７０とを備えている。
【００３４】
ＭＦＰ４０は、例えば、コンビニエンスストア、飲食店などの商業施設、大学などの公共施設など、様々な施設に設置されることが可能である。ＭＦＰ４０は、電子機器３０から受け付けたドキュメントの印刷を、利用者による料金の支払いに応じて実行するデバイスである。
【００３５】
コンピューター５０は、ＭＦＰ４０の料金に関する処理だけでなく、ＭＦＰ４０と同様の少なくとも１台のＭＦＰの料金に関する処理を実行可能でも良い。
【００３６】
オンライン決済サービス６０および銀行口座管理システム７０は、それぞれクラウドサービスであり、それぞれ例えばクラウドサーバーなどのサーバーによって実現されているシステムである。
【００３７】
利用者端末２０と、オンライン決済サービス６０とは、インターネットなどのネットワーク経由で通信可能である。
【００３８】
電子機器３０と、ＭＦＰ４０とは、ルーターなど、他の通信機器を経由しない直接の無線通信（以下「ダイレクト無線通信」と言う。）を実行可能である。ダイレクト無線通信は、例えば、Ｗｉ−Ｆｉ  Ｄｉｒｅｃｔ（登録商標）である。
【００３９】
ＭＦＰ４０と、コンピューター５０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、通信可能である。
【００４０】
コンピューター５０と、オンライン決済サービス６０とは、インターネットなどのネットワーク経由で通信可能である。
【００４１】
オンライン決済サービス６０と、銀行口座管理システム７０とは、インターネットなどのネットワーク経由で通信可能である。
【００４２】
図２は、利用者端末２０のブロック図である。
【００４３】
図２に示すように、利用者端末２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、カメラなどの撮影デバイスである撮影部２３と、ネットワーク経由で、または、ネットワークを介さずに有線または無線によって直接に、外部の装置と通信を行う通信デバイスである通信部２４と、各種の情報を記憶する半導体メモリーなどの不揮発性の記憶デバイスである記憶部２５と、利用者端末２０全体を制御する制御部２６とを備えている。利用者端末２０は、例えば、スマートフォン、タブレットなどの携帯端末であっても良い。
【００４４】
記憶部２５は、オンライン決済サービス６０（図１参照。）による決済のための決済用プログラム２５ａを記憶している。決済用プログラム２５ａは、利用者端末２０の製造段階で利用者端末２０にインストールされていても良いし、ＵＳＢ（Ｕｎｉｖｅｒｓａｌ  Ｓｅｒｉａｌ  Ｂｕｓ）メモリーなどの外部の記憶媒体から利用者端末２０に追加でインストールされても良いし、ネットワーク上から利用者端末２０に追加でインストールされても良い。
【００４５】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２５に記憶されているプログラムを実行する。
【００４６】
制御部２６は、決済用プログラム２５ａを実行することによって、オンライン決済サービス６０に決済を指示する決済指示手段２６ａを実現する。
【００４７】
図３は、電子機器３０のブロック図である。
【００４８】
図３に示すように、電子機器３０は、種々の操作が入力されるキーボード、マウスなどの入力デバイスである操作部３１と、種々の情報を表示するＬＣＤなどの表示デバイスである表示部３２と、ネットワーク経由で、または、ネットワークを介さずに有線または無線によって直接に、外部の装置と通信を行う通信デバイスである通信部３３と、各種の情報を記憶する半導体メモリー、ＨＤＤ（Ｈａｒｄ  Ｄｉｓｋ  Ｄｒｉｖｅ）などの不揮発性の記憶デバイスである記憶部３４と、電子機器３０全体を制御する制御部３５とを備えている。電子機器３０は、例えば、ノートＰＣ（Ｐｅｒｓｏｎａｌ  Ｃｏｍｐｕｔｅｒ）、スマートフォン、タブレットなどの携帯端末によって構成されても良い。
【００４９】
記憶部３４は、ウェブブラウザー用プログラム３４ａを記憶している。ウェブブラウザー用プログラム３４ａは、電子機器３０の製造段階で電子機器３０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体から電子機器３０に追加でインストールされても良いし、ネットワーク上から電子機器３０に追加でインストールされても良い。
【００５０】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００５１】
制御部３５は、ウェブブラウザー用プログラム３４ａを実行することによって、ウェブブラウザー３５ａを実現する。
【００５２】
図４は、ＭＦＰ４０のブロック図である。
【００５３】
図４に示すように、ＭＦＰ４０は、種々の操作が入力されるボタンなどの入力デバイスである操作部４１と、種々の情報を表示するＬＣＤなどの表示デバイスである表示部４２と、原稿から画像を読み取る読取デバイスであるスキャナー４３と、用紙などの記録媒体に画像を印刷する印刷デバイスであるプリンター４４と、図示していない外部のファクシミリ装置と公衆電話回線などの通信回線経由でファックス通信を行うファックスデバイスであるファックス通信部４５と、ネットワーク経由で、または、ネットワークを介さずに有線または無線によって直接に、外部の装置と通信を行う通信デバイスである通信部４６と、各種の情報を記憶する半導体メモリー、ＨＤＤなどの不揮発性の記憶デバイスである記憶部４７と、ＭＦＰ４０全体を制御する制御部４８とを備えている。
【００５４】
記憶部４７は、ドキュメント印刷のジョブを実行するためのドキュメント印刷プログラム４７ａを記憶している。ドキュメント印刷プログラム４７ａは、ＭＦＰ４０の製造段階でＭＦＰ４０にインストールされていても良いし、ＵＳＢメモリーなどの外部の記憶媒体からＭＦＰ４０に追加でインストールされても良いし、ネットワーク上からＭＦＰ４０に追加でインストールされても良い。
【００５５】
記憶部４７は、ドキュメント４７ｂを記憶可能である。ドキュメント４７ｂとしては、例えば、ＰＤＦ（Ｐｏｒｔａｂｌｅ  Ｄｏｃｕｍｅｎｔ  Ｆｏｒｍａｔ）ドキュメント、Ｍｉｃｒｏｓｏｆｔ（登録商標）  Ｗｏｒｄドキュメント、Ｍｉｃｒｏｓｏｆｔ  Ｅｘｃｅｌ（登録商標）ドキュメント、Ｍｉｃｒｏｓｏｆｔ  ＰｏｗｅｒＰｏｉｎｔ（登録商標）ドキュメント、ＴＩＦＦ（Ｔａｇｇｅｄ  Ｉｍａｇｅ  Ｆｉｌｅ  Ｆｏｒｍａｔ）ドキュメント、ＪＰＥＧ（Ｊｏｉｎｔ  Ｐｈｏｔｏｇｒａｐｈｉｃ  Ｅｘｐｅｒｔｓ  Ｇｒｏｕｐ）ドキュメントなど、様々な形式のドキュメントが採用されることができる。ドキュメント４７ｂは、ドキュメント４７ｂ自身の印刷設定が含まれている場合がある。
【００５６】
記憶部４７は、ドキュメント４７ｂの印刷設定４７ｃを記憶可能である。印刷設定４７ｃは、例えば、印刷する部数の設定、印刷する記録媒体のサイズの設定、モノクロ印刷およびカラー印刷の何れであるかの設定、両面印刷および片面印刷の何れであるかの設定などである。
【００５７】
記憶部４７は、ドキュメントを管理するためのドキュメント管理情報４７ｄを記憶可能である。
【００５８】
図５は、ドキュメント管理情報４７ｄの一例を示す図である。
【００５９】
図５に示すように、ドキュメント管理情報４７ｄは、ドキュメント４７ｂの識別情報であるドキュメントＩＤと、印刷設定４７ｃの識別情報である印刷設定ＩＤと、一時的な利用者の名称（以下「一時的利用者名」と言う。）、ＰＩＮ（Ｐｅｒｓｏｎａｌ  Ｉｄｅｎｔｉｆｉｃａｔｉｏｎ  Ｎｕｍｂｅｒ）コードなどの識別情報（以下「一時的利用者ＩＤ」と言う。）とが対応付けられた情報である。
【００６０】
図４に示す制御部４８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４７に記憶されているプログラムを実行する。
【００６１】
制御部４８は、ドキュメント印刷プログラム４７ａを実行することによって、外部の電子機器との間でダイレクト無線通信を実行可能な無線通信手段４８ａと、無線通信手段４８ａによって実行されたダイレクト無線通信を介してドキュメント４７ｂを受け付けるドキュメント受付手段４８ｂと、一時的利用者ＩＤに対応付けられたドキュメント４７ｂの指定を受け付けるドキュメント指定受付手段４８ｃと、コンピューター５０（図１参照。）によって計算された料金に対してオンライン決済サービス６０（図１参照。）によって発行された支払いコードを通知する支払いコード通知手段４８ｄと、支払いコード通知手段４８ｄによって通知された支払いコードを使用してオンライン決済サービス６０経由で料金が支払われた場合に、印刷データに基づいてプリンター４４で印刷を実行するドキュメント印刷手段４８ｅとを実現する。
【００６２】
図６は、コンピューター５０のブロック図である。
【００６３】
図６に示すように、コンピューター５０は、ネットワーク経由で、または、ネットワークを介さずに有線または無線によって直接に、外部の装置と通信を行う通信デバイスである通信部５１と、各種の情報を記憶する半導体メモリー、ＨＤＤなどの不揮発性の記憶デバイスである記憶部５２と、コンピューター５０全体を制御する制御部５３とを備えている。コンピューター５０は、例えば、ＰＣによって構成されても良い。
【００６４】
記憶部５２は、プリンタードライバー用プログラム５２ａと、オンライン決済サービス６０（図１参照。）による決済のための決済用プログラム５２ｂとを記憶している。プリンタードライバー用プログラム５２ａおよび決済用プログラム５２ｂは、それぞれ、コンピューター５０の製造段階でコンピューター５０にインストールされていても良いし、ＵＳＢメモリー、ＣＤ、ＤＶＤなどの外部の記憶媒体からコンピューター５０に追加でインストールされても良いし、ネットワーク上からコンピューター５０に追加でインストールされても良い。
【００６５】
記憶部５２は、印刷データ５２ｃを記憶可能である。
【００６６】
記憶部５２は、ＭＦＰを管理するためのＭＦＰ管理情報５２ｄを記憶している。
【００６７】
図７は、ＭＦＰ管理情報５２ｄの一例を示す図である。
【００６８】
図７に示すように、ＭＦＰ管理情報５２ｄは、ＭＦＰの識別情報であるＭＦＰＩＤと、ＭＦＰの管理者の識別情報である管理者ＩＤとが対応付けられた情報である。
【００６９】
図６に示すように、記憶部５２は、オンライン決済サービス６０（図１参照。）によって発行される支払いコードを管理するための支払いコード管理情報５２ｅを記憶可能である。
【００７０】
図８は、支払いコード管理情報５２ｅの一例を示す図である。
【００７１】
図８に示すように、支払いコード管理情報５２ｅは、支払いコードと、ＭＦＰＩＤと、印刷データ５２ｃの識別情報である印刷データＩＤとが対応付けられた情報である。
【００７２】
図６に示す制御部５３は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５２に記憶されているプログラムを実行する。
【００７３】
制御部５３は、プリンタードライバー用プログラム５２ａを実行することによって、ドキュメントの印刷データを生成する印刷データ生成手段としてのプリンタードライバー５３ａを実現する。
【００７４】
制御部５３は、決済用プログラム５２ｂを実行することによって、ドキュメントのページ数および印刷設定に基づいて料金を計算する料金計算手段５３ｂと、オンライン決済サービス６０による決済のための通信を実行する決済用通信手段５３ｃとを実現する。
【００７５】
図９は、オンライン決済サービス６０が記憶する情報の一例を示す図である。
【００７６】
図９に示すように、オンライン決済サービス６０は、利用者の銀行口座の情報を利用者の識別情報である利用者ＩＤ毎に示す利用者銀行口座情報６０ａと、ＭＦＰ４０の管理者の口座の情報を管理者ＩＤ毎に示す管理者口座情報６０ｂとを記憶している。
【００７７】
利用者銀行口座情報６０ａには、利用者の銀行口座を管理している銀行の名称や、その銀行口座の口座番号など、利用者の銀行口座に関する情報が含まれている。利用者は、例えば、利用者端末２０の操作部２１を介して決済用プログラム２５ａ経由で、オンライン決済サービス６０の利用者銀行口座情報６０ａに利用者の銀行口座の情報を登録することが可能である。
【００７８】
管理者は、例えば、任意のＰＣを介してインターネット経由で、オンライン決済サービス６０の管理者口座情報６０ｂに管理者の口座の情報を登録することが可能である。なお、管理者の口座は、オンライン決済サービス６０によって管理されている口座であって、銀行口座ではない。
【００７９】
オンライン決済サービス６０は、支払いコードを管理するための支払いコード管理情報６０ｃを記憶可能である。
【００８０】
図１０は、支払いコード管理情報６０ｃの一例を示す図である。
【００８１】
図１０に示すように、支払いコード管理情報６０ｃは、支払いコードと、管理者ＩＤと、料金と、コンピューターの識別情報であるコンピューターＩＤとが対応付けられた情報である。
【００８２】
次に、ドキュメント印刷システム１０の動作について説明する。
【００８３】
まず、新たなドキュメント４７ｂをＭＦＰ４０に記憶する場合のドキュメント印刷システム１０の動作について説明する。
【００８４】
図１１は、新たなドキュメント４７ｂをＭＦＰ４０に記憶する場合のドキュメント印刷システム１０の動作のシーケンス図である。
【００８５】
利用者は、ＭＦＰ４０とのダイレクト無線通信のための設定（以下「ダイレクト無線通信用設定」と言う。）の表示をＭＦＰ４０に操作部４１を介して指示することができる。
【００８６】
ＭＦＰ４０の無線通信手段４８ａは、ダイレクト無線通信用設定の表示が指示されると、図１１に示すように、ダイレクト無線通信用設定を表示部４２に表示する（Ｓ１０１）。したがって、利用者は、表示部４２に表示されたダイレクト無線通信用設定を無線通信の設定として電子機器３０に操作部３１を介して入力することができる。
【００８７】
電子機器３０の制御部３５は、無線通信の設定としてダイレクト無線通信用設定が入力されると、入力されたダイレクト無線通信用設定を使用してＭＦＰ４０にダイレクト無線通信での接続を要求する（Ｓ１０２）。したがって、ＭＦＰ４０の無線通信手段４８ａは、電子機器３０とのダイレクト無線通信での接続を確立して（Ｓ１０３）、ダイレクト無線通信での接続の確立を電子機器３０に通知する（Ｓ１０４）。
【００８８】
以降、電子機器３０と、ＭＦＰ４０とは、ダイレクト無線通信によって情報の送受信を実行することが可能である。
【００８９】
電子機器３０と、ＭＦＰ４０との間のダイレクト無線通信での接続が確立された後、利用者は、ドキュメントのアップロードのためのウェブページ（以下「アップロード用ページ」と言う。）の表示を操作部３１を介して指示することができる。
【００９０】
電子機器３０のウェブブラウザー３５ａは、アップロード用ページの表示が指示されると、アップロード用ページのデータをダイレクト無線通信によってＭＦＰ４０に要求する（Ｓ１０５）。そのため、ＭＦＰ４０のドキュメント受付手段４８ｂは、一時的利用者ＩＤを発行し（Ｓ１０６）、Ｓ１０６において発行した一時的利用者ＩＤを含むアップロード用ページのデータをダイレクト無線通信によって電子機器３０に送信する（Ｓ１０７）。したがって、電子機器３０のウェブブラウザー３５ａは、ＭＦＰ４０から受信したアップロード用ページのデータに基づいてアップロード用ページを表示部３２に表示する（Ｓ１０８）。
【００９１】
利用者は、表示部３２に表示されたアップロード用ページにおいて、ドキュメントのアップロードを操作部３１を介して指示することができる。ここで、利用者は、電子機器３０に記憶されているドキュメントに対してだけでなく、電子機器３０に接続されたＵＳＢメモリーやＳＤカードに記憶されているドキュメントなどの、電子機器３０からアクセス可能な電子機器３０の外部のドキュメントに対しても、アップロード用ページにおいてアップロードを指示することができる。
【００９２】
電子機器３０のウェブブラウザー３５ａは、ドキュメントのアップロードがアップロード用ページにおいて指示されると、アップロードが指示されたドキュメントをダイレクト無線通信によってＭＦＰ４０に送信する（Ｓ１０９）。そのため、ＭＦＰ４０のドキュメント受付手段４８ｂは、電子機器３０から送信されてきたドキュメントを受け付けてドキュメント４７ｂとして記憶部４７に記憶し（Ｓ１１０）、このドキュメントのドキュメントＩＤと、Ｓ１０６において発行した一時的利用者ＩＤとを対応付けてドキュメント管理情報４７ｄに記憶する（Ｓ１１１）。
【００９３】
利用者は、表示部３２に表示されたアップロード用ページにおいてドキュメントをアップロードした後、このドキュメントの印刷設定をアップロード用ページにおいて操作部３１を介して指示することができる。ここで、アップロード用ページは、コンピューター５０のプリンタードライバー５３ａが対応可能な印刷設定のみが指示可能になっている。
【００９４】
電子機器３０のウェブブラウザー３５ａは、ドキュメントの印刷設定がアップロード用ページにおいて指示されると、この印刷設定をダイレクト無線通信によってＭＦＰ４０に送信する（Ｓ１１２）。そのため、ＭＦＰ４０のドキュメント受付手段４８ｂは、電子機器３０から送信されてきた印刷設定を、Ｓ１１０において受け付けたドキュメントの印刷設定として受け付けて印刷設定４７ｃとして記憶部４７に記憶し（Ｓ１１３）、この印刷設定の印刷設定ＩＤを、この印刷設定の対象のドキュメントのドキュメントＩＤおよび一時的利用者ＩＤに対応付けてドキュメント管理情報４７ｄに記憶する（Ｓ１１４）。
【００９５】
利用者は、以上に説明した操作を繰り返すことによって、Ｓ１０８において表示部３２に表示されたアップロード用ページによって、複数のドキュメントを、これらのドキュメントのそれぞれの印刷設定とともにＭＦＰ４０に記憶させることができる。
【００９６】
次に、ドキュメント印刷のジョブの実行の指示が入力されたＭＦＰ４０が二次元コードを表示するまでのドキュメント印刷システム１０の動作について説明する。
【００９７】
図１２は、ドキュメント印刷のジョブの実行の指示が入力されたＭＦＰ４０が二次元コードを表示するまでのドキュメント印刷システム１０の動作のシーケンス図である。
【００９８】
利用者は、ＭＦＰ４０にドキュメント４７ｂを記憶させた後、操作部４１を介してＭＦＰ４０にログインすることができる。ここで、利用者は、Ｓ１０８において表示部３２に表示されたアップロード用ページに含まれていた一時的利用者ＩＤでＭＦＰ４０にログインすることができる。
【００９９】
ＭＦＰ４０のドキュメント指定受付手段４８ｃは、一時的利用者ＩＤで操作部４１を介してログインされると、図１２に示すように、ログインした利用者の一時的利用者ＩＤに対応付けてＭＦＰ４０が記憶しているドキュメント４７ｂをドキュメント管理情報４７ｄに基づいて特定し（Ｓ１３１）、特定したドキュメント４７ｂの一覧（以下「ドキュメントリスト」と言う。）を表示部４２に表示する（Ｓ１３２）。
【０１００】
利用者は、Ｓ１３２において表示部４２に表示されたドキュメントリストから、印刷を希望するドキュメント４７ｂを操作部４１を介して選択することができる。
【０１０１】
ドキュメント指定受付手段４８ｃは、利用者が印刷を希望するドキュメント４７ｂが操作部４１を介して選択されると、選択されたドキュメント４７ｂと、このドキュメント４７ｂにドキュメント管理情報４７ｄにおいて対応付けられている印刷設定４７ｃと、ＭＦＰ４０のＭＦＰＩＤとをコンピューター５０に送信する（Ｓ１３３）。
【０１０２】
次いで、コンピューター５０のプリンタードライバー５３ａは、Ｓ１３３においてＭＦＰ４０から送信されてきたドキュメントおよび印刷設定に基づいて、このドキュメント４７ｂの印刷データを生成し（Ｓ１３４）、生成した印刷データを印刷データ５２ｃとして記憶部５２に一時的に記憶する（Ｓ１３５）。
【０１０３】
なお、印刷データ５２ｃには、印刷するページ数を示すページ数情報、印刷する記録媒体の枚数を示す枚数情報、印刷する記録媒体のサイズを示す記録媒体サイズ情報、モノクロ印刷およびカラー印刷の何れであるかを示す色情報、両面印刷および片面印刷の何れであるかを示す両面片面情報など、料金を計算するために必要な種々の情報が含まれている。
【０１０４】
プリンタードライバー５３ａは、例えば、ドキュメントのページ数と、このドキュメントの印刷設定に含まれる部数の設定や、両面印刷および片面印刷の何れであるかの設定などの各種の印刷設定とに基づいて、ページ数情報や枚数情報を決定する。
【０１０５】
プリンタードライバー５３ａは、ドキュメント自身に含まれている印刷設定と、Ｓ１３３においてドキュメントとともに送信されてきた印刷設定とに矛盾する設定が含まれている場合、Ｓ１３３においてドキュメントとともに送信されてきた印刷設定を優先する。例えば、プリンタードライバー５３ａは、ドキュメント自身に含まれている印刷設定にカラー印刷の設定が含まれていて、Ｓ１３３においてドキュメントとともに送信されてきた印刷設定にモノクロ印刷の設定が含まれている場合、モノクロ印刷である旨の情報を色情報として印刷データ５２ｃに含める。
【０１０６】
コンピューター５０の料金計算手段５３ｂは、Ｓ１３５の処理の後、Ｓ１３３においてＭＦＰ４０から送信されてきたドキュメントのページ数および印刷設定と、特定の計算基準とに基づいて、今回のドキュメント印刷のジョブの料金を計算する（Ｓ１３６）。
【０１０７】
例えば、印刷設定に両面印刷が設定されていれば、印刷は、１部あたりにつき、ドキュメント４７ｂのページ数の半分の枚数の記録媒体に実行されることになる。料金計算手段５３ｂは、この枚数を料金に反映しても良い。
【０１０８】
また、印刷設定に複数の部数が設定されていれば、印刷は、１部のドキュメント４７ｂに対する記録媒体の印刷面の数に、部数を乗じた数の印刷面に実行されることになる。料金計算手段５３ｂは、この印刷面の数を料金に反映しても良い。
【０１０９】
コンピューター５０の決済用通信手段５３ｃは、Ｓ１３６の処理の後、Ｓ１３６で計算された料金での支払いコードをオンライン決済サービス６０に要求する（Ｓ１３７）。ここで、決済用通信手段５３ｃは、Ｓ１３３においてドキュメントとともにＭＦＰ４０から送信されてきたＭＦＰＩＤにＭＦＰ管理情報５２ｄにおいて対応付けられている管理者ＩＤと、コンピューター５０のコンピューターＩＤとをＳ１３７の要求に含める。
【０１１０】
したがって、オンライン決済サービス６０は、Ｓ１３７の要求に応じて支払いコードを発行した後（Ｓ１３８）、発行した支払いコードと、Ｓ１３７における要求に含まれていた管理者ＩＤ、料金およびコンピューターＩＤとを対応付けて支払いコード管理情報６０ｃに記憶して（Ｓ１３９）、発行した支払いコードをコンピューター５０に返信する（Ｓ１４０）。
【０１１１】
コンピューター５０の決済用通信手段５３ｃは、Ｓ１４０においてオンライン決済サービス６０から返信されてきた支払いコードを示すＱＲコード（登録商標）などの二次元コードを生成する（Ｓ１４１）。なお、決済用通信手段５３ｃは、Ｓ１４０においてオンライン決済サービス６０から返信されてきた支払いコードを、Ｓ１３３においてＭＦＰ４０から送信されていたＭＦＰＩＤと、Ｓ１３４において生成した印刷データの印刷データＩＤとに対応付けて支払いコード管理情報５２ｅに記憶する。
【０１１２】
次いで、決済用通信手段５３ｃは、Ｓ１４１において生成した二次元コードをＭＦＰ４０に送信する（Ｓ１４２）。
【０１１３】
したがって、ＭＦＰ４０の支払いコード通知手段４８ｄは、Ｓ１４２においてコンピューター５０から送信されてきた二次元コードを表示部４２に表示する（Ｓ１４３）。
【０１１４】
次に、利用者端末２０が二次元コードを読み取ってからＭＦＰ４０がドキュメント印刷のジョブの実行を終了するまでのドキュメント印刷システム１０の動作について説明する。
【０１１５】
図１３は、利用者端末２０が二次元コードを読み取ってからＭＦＰ４０がドキュメント印刷のジョブの実行を終了するまでのドキュメント印刷システム１０の動作のシーケンス図である。
【０１１６】
利用者は、Ｓ１４３においてＭＦＰ４０の表示部４２に表示された二次元コードを利用者端末２０の撮影部２３によって読み取らせるように、利用者端末２０を操作することができる。利用者端末２０の決済指示手段２６ａは、表示部４２に表示された二次元コードを撮影部２３によって読み取らせるように利用者端末２０が操作されると、図１３に示すように、表示部４２に表示された二次元コードを撮影部２３によって読み取る（Ｓ１６１）。
【０１１７】
次いで、決済指示手段２６ａは、Ｓ１６１において読み取った二次元コードを解釈して、この二次元コードによって示される支払いコードと、利用者端末２０にログイン中の利用者の利用者ＩＤとをオンライン決済サービス６０に送信する（Ｓ１６２）。
【０１１８】
したがって、オンライン決済サービス６０は、Ｓ１６２において利用者端末２０から送信されてきた支払いコードおよび利用者ＩＤに基づいて、支払いコードに支払いコード管理情報６０ｃにおいて対応付けられている料金と、利用者ＩＤに利用者銀行口座情報６０ａにおいて関連付けられている銀行口座の情報とを利用者端末２０に返信する（Ｓ１６３）。
【０１１９】
利用者端末２０の決済指示手段２６ａは、料金と、銀行口座の情報とがオンライン決済サービス６０から送信されてくると、料金の支払いのための支払い画面８０（図１４参照。）を表示部２２に表示する（Ｓ１６４）。
【０１２０】
図１４は、支払い画面８０の一例を示す図である。
【０１２１】
図１４に示すように、支払い画面８０は、オンライン決済サービス６０から送信されてきた銀行口座の情報を示すテキスト８１と、オンライン決済サービス６０から送信されてきた料金を示すテキスト８２と、銀行口座のパスワード、すなわち、その銀行口座からの引き落としを銀行口座管理システム７０が許可するためのパスワードが入力されるためのテキストボックス８３とを含んでいる。
【０１２２】
図１４においては、支払い画面８０に表示される銀行口座の情報として銀行の名称を示している。しかしながら、支払い画面８０には、銀行口座の情報として、銀行の名称以外の情報が、銀行の名称に加えて、または、銀行の名称に代えて、表示されても良い。なお、Ｓ１６３においては、銀行口座の情報のうち、支払い画面８０に表示される情報のみが返信されれば良い。
【０１２３】
決済指示手段２６ａは、テキストボックス８３に銀行口座のパスワードが入力されると、入力されたパスワードを、図１３に示すように、オンライン決済サービス６０に送信する（Ｓ１６５）。
【０１２４】
したがって、オンライン決済サービス６０は、Ｓ１６５において利用者端末２０から送信されてきたパスワードが正しい場合にのみ、銀行口座管理システム７０が管理している銀行口座のうち、Ｓ１６２において利用者端末２０から送信されてきた利用者ＩＤに利用者銀行口座情報６０ａにおいて関連付けられている銀行口座から、Ｓ１６２において利用者端末２０から送信されてきた支払いコードに支払いコード管理情報６０ｃにおいて対応付けられている料金を引き落とす（Ｓ１６６）。
【０１２５】
次いで、オンライン決済サービス６０は、Ｓ１６６において引き落とした料金を、Ｓ１６２において利用者端末２０から送信されてきた支払いコードに支払いコード管理情報６０ｃにおいて対応付けられている管理者ＩＤに管理者口座情報６０ｂにおいて関連付けられている口座に振り込む（Ｓ１６７）。
【０１２６】
次いで、オンライン決済サービス６０は、料金の支払いが完了した旨を示す支払い完了通知と、Ｓ１６２において利用者端末２０から送信されてきた支払いコードとを、この支払いコードに支払いコード管理情報６０ｃにおいて対応付けられているコンピューターＩＤのコンピューター５０に送信する（Ｓ１６８）。
【０１２７】
コンピューター５０の決済用通信手段５３ｃは、Ｓ１６８においてオンライン決済サービス６０から支払い完了通知が送信されてくると、記憶部５２に記憶している印刷データ５２ｃのうち、Ｓ１６８においてオンライン決済サービス６０から支払い完了通知とともに送信されてきた支払いコードに支払いコード管理情報５２ｅにおいて対応付けられている印刷データＩＤの印刷データ５２ｃを、この支払いコードに支払いコード管理情報５２ｅにおいて対応付けられているＭＦＰＩＤのＭＦＰ４０に送信する（Ｓ１６９）。
【０１２８】
ＭＦＰ４０のドキュメント印刷手段４８ｅは、Ｓ１６９においてコンピューター５０から印刷データが送信されてくると、この印刷データに基づいてプリンター４４で印刷を実行する（Ｓ１７０）。
【０１２９】
以上に説明したように、ドキュメント印刷システム１０は、ドキュメントのページ数および印刷設定に基づいた正確な料金が支払われた（Ｓ１６５〜Ｓ１６７）後で、このドキュメントの印刷データに基づいた印刷を実行する（Ｓ１７０）ので、「ドキュメントの印刷を実行する」というドキュメント印刷のジョブの実行が料金の支払いの滞りによって途中で停止されることがなく、利便性の向上を実現することができる。
【０１３０】
ドキュメント印刷システム１０は、料金の支払いにコインベンダーではなくオンライン決済サービス６０を利用するため、料金がＭＦＰ４０の利用者の銀行口座からＭＦＰ４０の管理者の口座に直接振り込まれるので、コインベンダーからの料金の取得作業が不要であり、人件費の低減と、料金の安全な受け取りとを実現することができる。
【０１３１】
ドキュメント印刷システム１０は、料金の支払いにコインベンダーではなくオンライン決済サービス６０を利用するので、コインベンダーがあまり利用されていない国であっても、容易に導入されることが可能である。
【０１３２】
ドキュメント印刷システム１０は、ＭＦＰ４０が外部の電子機器３０からダイレクト無線通信を介してドキュメントを受け付ける（Ｓ１０９およびＳ１１０）ので、外部の複数の電子機器が接続するＬＡＮなどのネットワークにＭＦＰ４０が接続していなくても、ＭＦＰ４０がドキュメントを受け付けることができる。したがって、ドキュメント印刷システム１０は、外部の複数の電子機器が接続するＬＡＮなどのネットワークを介した指示に応じた印刷、例えば、オンライン決済サービス６０を利用した料金の支払いに関係ないドキュメントの印刷をＭＦＰ４０が実行することを防止することができる。
【０１３３】
ドキュメント印刷システム１０は、ＭＦＰ４０のドキュメント受付手段４８ｂによって受け付けられた印刷設定に基づいてコンピューター５０のプリンタードライバー５３ａが印刷データを生成するので、ＭＦＰ４０に記憶されているドキュメント４７ｂを、利用者が指定した印刷設定で印刷することができる。
【０１３４】
ドキュメント印刷システム１０は、ＭＦＰ４０用のプリンタードライバーが電子機器３０にインストールされなくても、電子機器３０からＭＦＰ４０に送信したドキュメントを電子機器３０から指定した印刷設定に基づいてＭＦＰ４０で印刷することができる。
【０１３５】
ドキュメント印刷システム１０において、コンピューター５０の料金計算手段５３ｂは、ＭＦＰ４０のドキュメント受付手段４８ｂによってＳ１３３において受け付けられた印刷設定に基づいて料金を計算する（Ｓ１３６）。この構成により、ドキュメント印刷システム１０は、ドキュメントの印刷設定に基づいた正確な料金が支払われた後で、このドキュメントの印刷データに基づいた印刷を実行するので、利便性の向上を実現することができる。
【０１３６】
ドキュメント印刷システム１０のＭＦＰ４０において、ドキュメント受付手段４８ｂは、受け付けたドキュメントに対応付けた識別情報としての一時的利用者ＩＤを通知し（Ｓ１０７）、支払いコード通知手段４８ｄは、一時的利用者ＩＤに対応付けられて、ドキュメント指定受付手段４８ｃによって指定が受け付けられたドキュメントの支払いコードを通知する（Ｓ１４３）。この構成により、ドキュメント印刷システム１０は、利用者によって指定された一時的利用者ＩＤに対応付けられたドキュメントの支払いコードのみを通知するので、利用者によって認識されているドキュメントのみを印刷することができ、利便性を向上することができる。
【０１３７】
ドキュメント印刷システム１０は、ＭＦＰ４０が支払いコードを表示部４２への表示によって通知する（Ｓ１４３）ので、利用者端末２０と、ＭＦＰ４０とが互いに通信できない場合であっても、ＭＦＰ４０の表示部４２に表示された支払いコードを使用して利用者端末２０によってオンライン決済サービス６０経由で料金を支払うことができる。
【０１３８】
ドキュメント印刷システム１０は、支払いコードが二次元コードとしてコンパクトにＭＦＰ４０の表示部４２に表示されるので、利用者端末２０の撮影部２３によって撮影し易く、利便性を向上することができる。なお、ドキュメント印刷システム１０は、文字列や一次元コードなど、二次元コードより利用者端末２０の撮影部２３によって撮影し難い方法で支払いコードが表示部４２に表示されても良い。
【０１３９】
ドキュメント印刷システム１０は、表示部４２に表示された支払いコードを撮影部２３によって撮影することによって取得するので、ＭＦＰ４０の表示部４２に表示された支払いコードを利用者端末２０の利用者が利用者端末２０に手入力する必要がない。したがって、ドキュメント印刷システム１０は、利便性を向上することができる。なお、ドキュメント印刷システム１０は、二次元コードではなく、文字列など、利用者端末２０の利用者が理解可能な方法で支払いコードを表示部４２に表示する場合、ＭＦＰ４０の表示部４２に表示された支払いコードが利用者端末２０の利用者によって利用者端末２０に手入力される構成でも良い。
【０１４０】
ドキュメント印刷システム１０は、本実施の形態において、ＭＦＰ４０の管理者の口座として、オンライン決済サービス６０によって管理されている口座を利用している。しかしながら、ドキュメント印刷システム１０は、ＭＦＰ４０の管理者の口座として、オンライン決済サービス６０によって管理されている口座ではなく、銀行口座を利用する構成でも良い。
【０１４１】
ドキュメント印刷システム１０は、本実施の形態において、ＭＦＰ４０の利用者の口座として、銀行口座を利用している。しかしながら、ドキュメント印刷システム１０は、ＭＦＰ４０の利用者の口座として、銀行口座ではなく、オンライン決済サービス６０によって管理されている口座を利用する構成でも良い。
【０１４２】
ドキュメント印刷システム１０は、本実施の形態において、電子機器３０からＭＦＰ４０に送信されたドキュメントをＭＦＰ４０が管理している。しかしながら、ドキュメント印刷システム１０は、電子機器３０からＭＦＰ４０に送信されたドキュメントをコンピューター５０が管理しても良い。
【０１４３】
ドキュメント印刷システム１０は、コンピューター５０の上述した機能の少なくとも一部をＭＦＰ４０がドキュメント印刷プログラム４７ａの実行によって実現する構成でも良い。例えば、ドキュメント印刷システム１０は、コンピューター５０のプリンタードライバー５３ａおよび料金計算手段５３ｂに相当する機能をＭＦＰ４０が実現する構成でも良い。ドキュメント印刷システム１０は、コンピューター５０の上述した全ての機能をＭＦＰ４０が実現する構成である場合、コンピューター５０を備えなくても良い。
【０１４４】
ドキュメント印刷システム１０は、本実施の形態において、利用者端末２０と、電子機器３０とを別々の装置として備えている。しかしながら、ドキュメント印刷システム１０は、利用者端末２０および電子機器３０が１つの装置によって実現されても良い。
【０１４５】
本発明の画像形成装置は、本実施の形態においてＭＦＰであるが、プリンター専用機など、ＭＦＰ以外の画像形成装置でも良い。
【符号の説明】
【０１４６】
１０  ドキュメント印刷システム
２０  利用者端末
２３  撮影部（撮影デバイス）
３０  電子機器
４０  ＭＦＰ（画像形成装置）
４２  表示部（表示デバイス）
４４  プリンター（印刷デバイス）
４７ａ  ドキュメント印刷プログラム
４７ｂ  ドキュメント
４７ｃ  印刷設定
４８ａ  無線通信手段
４８ｂ  ドキュメント受付手段
４８ｃ  ドキュメント指定受付手段
４８ｄ  支払いコード通知手段
４８ｅ  ドキュメント印刷手段
５２ｃ  印刷データ
５３ａ  プリンタードライバー（印刷データ生成手段）
５３ｂ  料金計算手段
６０  オンライン決済サービス
【図１】
2018118404.tif 000003
【図２】
2018118404.tif 000004
【図３】
2018118404.tif 000005
【図４】
2018118404.tif 000006
【図５】
2018118404.tif 000007
【図６】
2018118404.tif 000008
【図７】
2018118404.tif 000009
【図８】
2018118404.tif 000010
【図９】
2018118404.tif 000011
【図１０】
2018118404.tif 000012
【図１１】
2018118404.tif 000013
【図１２】
2018118404.tif 000014
【図１３】
2018118404.tif 000015
【図１４】
2018118404.tif 000016